(57)【要約】【課題】踏板を側枠に固定しているボルトが緩むようなことがあっても、踏板を脱落させることなく側枠に保持させて、事故を防止することの出来る足場用階段を提供する。【解決手段】傾斜状に配置される左右一対の側枠１，１間に、踏板本体３の左右両端部に断面コ字状の端部キャップ４，４を嵌合固定してなる踏板２を水平に一定間隔で横架してなる階段であって、各踏板２は、各側枠１から挿通したボルト５を各端部キャップ４に設けた雌ねじ部６に螺合して締め付けることによって、両側枠１，１に固定されるようになっている足場用階段において、各側枠１の端部キャップ固定位置に切り込み１０ａを設けてこれを側枠１の内側へ引き起こすことにより踏板落下防止用ストッパー１０を形成し、このストストッパー１０で踏板２の端部下面を支持する。【選択図】図５
2005146713.tif 000002
【特許請求の範囲】
【請求項１】
傾斜状に配置される左右両側一対の側枠間に、踏板本体の左右両端部に断面コ字状の端部キャップを嵌合固定してなる踏板を水平に一定間隔おきに横架してなる階段であって、各踏板は、各側枠から挿通したボルトを各端部キャップに設けた雌ねじ部に螺合して締め付けることによって、両側枠に固定されるようになっている足場用階段において、
各側枠の端部キャップ固定位置に切り込みを設けてこれを側枠の内側へ引き起こすことにより踏板落下防止用ストッパーを形成し、このストッパーで踏板の端部下面を支持するようにしたことを特徴とする足場用階段。
【請求項２】
請求項１に記載の足場用階段において、前記ストッパーは横長矩形状を成していることを特徴とする請求項１に記載の足場用階段。
【発明の詳細な説明】
【技術分野】
【０００１】
本発明は、建築作業現場の組立足場に使用される足場用階段に関するものである。
【背景技術】
【０００２】
従来の足場用階段として、特許公報等の公知文献を具体的に挙げることは出来ないが、従来より使用されている階段は、傾斜状に配置される左右両側一対の金属製側枠間に、金属製踏板本体の左右両端部に横断面コ字状の金属製端部キャップを嵌合固定してなる踏板を、水平姿勢にて一定間隔おきに横架してなるもので、各踏板は、側枠から挿通した固定用ボルトを端部キャップに設けた雌ねじ部に螺合して締め付けることによって、両側枠に固定されるようになっている。
【発明の開示】
【発明が解決しようとする課題】
【０００３】
上記のような構成の従来の足場用階段においては、各踏板を側枠に固定しているボルトが緩んだ場合に、踏板が側枠から脱落して大きな事故を招くと云う問題があった。
【０００４】
本発明は、上記の課題に鑑み、踏板を側枠に固定しているボルトが緩むようなことがあっても、踏板を脱落させることなく側枠に保持させて、事故を防止することの出来る足場用階段を提供することを目的とする。
【課題を解決するための手段】
【０００５】
上記課題を解決するための手段を、後述する実施形態の参照符号を付して説明すると、請求項１に係る発明は、傾斜状に配置される左右両側一対の側枠１，１間に、踏板本体３の左右両端部に断面コ字状の端部キャップ４，４を嵌合固定してなる踏板２を水平に一定間隔おきに横架してなる階段Ｋであって、各踏板２は、各側枠１から挿通したボルト５を各端部キャップ４に設けた雌ねじ部６に螺合して締め付けることによって、両側枠１，１に固定されるようになっている足場用階段Ｋにおいて、各側枠１の端部キャップ固定位置に切り込み１０ａを設けてこれを側枠１の内側へ引き起こすことにより踏板落下防止用ストッパー１０を形成し、このストストッパー１０で踏板２の端部下面を支持するようにしたことを特徴とする。
【０００６】
請求項２は、請求項１に記載の足場用階段Ｋにおいて、前記ストッパー１０は横長矩形状を成していることを特徴とする。
【発明の効果】
【０００７】
上記解決手段による発明の効果を、後述する実施形態の参照符号を付して説明すると、請求項１に係る発明の足場用階段Ｋによれば、足場用階段Ｋの使用中に、踏板２を側枠１に固定しているボルト５が緩んで外れるようなことがあっても、その踏板２は、両側枠１，１の踏板落下防止用ストッパー１０，１０によって両側枠１，１に保持され、それによって脱落が防止され、事故が未然に防止される。
【０００８】
また、踏板落下防止用ストッパー１０は、各側枠１に切り込み１０ａを設けてこれを側枠１の内側へ引き起こすことにより形成されるものであって、加工が簡単で容易に行えるから、足場用階段Ｋの製作コストの低廉化を期することが出来る。
【０００９】
また、この足場用階段Ｋによれば、踏板２が破損するなどして交換が必要な場合には、踏板２を側枠１に固定しているボルト５を取り外すだけで、交換を必要とする踏板２のみを両側枠１，１から取り外して、簡単に新しい踏板２と交換することが出来る。
【００１０】
請求項２に係る発明によれば、スストッパー１０は横長矩形状に形成されているから、各側枠１に一つだけ設けても、踏板２の端部を確実に支持でき、踏板２の脱落を有効に阻止することが出来る。
【発明を実施するための最良の形態】
【００１１】
以下に本発明の好適な実施形態を図面に基づいて説明すると、図１は本発明に係る足場用階段Ｋの使用状態を示す斜視図、図２は同足場用階段Ｋの側面図、図３の(a) は図２の矢印Ａで囲まれる部分の拡大図、(b) は図２の矢印Ｂで囲まれる部分の拡大図、図４は図２のＸ−Ｘ線拡大断面図である。図５の(a) は足場用階段Ｋの要部断面斜視図、(b) は同図の(a) の矢印Ｚから見た階段Ｋの拡大図である。
【００１２】
この足場用階段Ｋは、傾斜状に配置される左右両側一対の側枠１，１に踏板２を一定間隔おきに水平に横架してなるもので、両側枠１，１の夫々上下両端部には掛止用フック７ａ，７ｂが取り付けられ、各掛止用フック７ａ，７ｂは、図１に示すような枠組足場Ｗの建枠８の横材９に掛止出来るようになっており、また下端側の掛止用フック７ｂは、図３の(b) に示すように床面Ｆ上に安定状態に接地出来るようになっている。
【００１３】
各踏板２は、踏板本体３と、この踏板本体３の左右両端部に嵌合固定される断面コ字状の端部キャップ４，４とからなるもので、各側枠１から挿通したボルト５を各端部キャップ４に取り付けたナット６（雌ねじ部）に螺合して締め付けることによって、両側枠１，１に挟まれた状態で固定されるようになっている。
【００１４】
上記足場用階段Ｋの構造について更に詳細に説明すると、各側枠１は、図４及び図５に示すような断面略コ字状のアルミニウム合金の押し出し型材からなるもので、コ字状溝部１ｃを外向きにして配置される。各側枠１には、この側枠１が一定角度傾斜した位置で各踏板２のキャップ４が水平に取付固定される位置に左右２つのボルト挿通孔（図示省略）が設けられ、両ボルト挿通孔から踏板２側のナット６，６にボルト５，５が夫々ねじ込まれるようになっているが、図３及び図５に示すように左右両ボルト５，５の略々中間部の下側位置に踏板落下防止用ストッパー１０が設けてあって、このストストッパー１０で踏板２の端部下面が支持されるようになっている。
【００１５】
この踏板落下防止用ストッパー１０は、上記のような側枠１の端部キャップ固定位置に正面視略々下向きコ字状の切り込み１０ａを入れ、この切り込み１０ａによって形成される横長矩形状の切込部片１０ｂを図５の(a) 及び(b) に示すように側枠１の内側へ所要角度引き起こすことによって形成されるものである。この場合、切込片の引き起し角度θは例えば約４５度である。
【００１６】
このように、各踏板２は、左右両側枠１，１の端部キャップ固定位置に設けてあるボルト挿通孔から当該端部キャップ４のナット６にねじ込まれるボルト５によって両側枠１，１に固定されると共に、側枠１の切り起こしによって形成された左右両ストッパー１０、１０で両端部下面を支持されることになる（図４参照）。
【００１７】
各踏板２の踏板本体３は、図６の(b) に示すような断面形状のアルミニウム合金の押し出し型材からなるもので、裏面側の前後両側端部及びその中間部に角筒状の補強枠部１１，１１，１２を形成し、同図の(a) に示すように、表面側には前後両側端部及びその中間部に滑り止め用凹凸条部１３，１３，１４を形成すると共に、凹凸条部１３と凹凸条部１４との間には滑り止め用孔部１５がバーリング加工によって形成されている。
【００１８】
端部キャップ４は、図７の(a) 〜(d) から分かるように、外側壁部４ａと上下壁部４ｂ，４ｃとで断面略コ字状に形成されるアルミニウム合金の押し出し型材からなるもので、外側壁部４ａの中央部域が隆起して、その隆起部１６の左右両端部にボルト挿通孔１７，１７が設けてあって、各ボルト挿通孔１７の裏側に前記ナット６が同心状に固着されている。上下各壁部４ｂ，４ｃの両端部にはリベット孔１８が設けられている。図８の(a) ，(b) には、踏板本体３の左右両端部に夫々端部キャップ４を嵌合して、リベット孔１８を利用して端部キャップ４を踏板本体３にリベット１９結合した状態を示している。
【００１９】
図８に示すような踏板２を側枠１に取り付けるには、各側枠１に設けられた踏板取付用のボルト挿通孔（図示せず）から、踏板２の端部キャップ４の内部に設けられているナット６にボルト５を螺入して締め付けると共に、各側枠１からその内側へ切り起こして形成された踏板落下防止用ストッパー１０を、踏板２の端部下面に支持させるようにする。
【００２０】
しかして、各踏板２は、各ボルト５を締め付けることによって、両側枠１，１に挟まれた状態で固定されると共に、図４及び図５の(a) ，(b) に示すように両側枠１，１の踏板落下防止用ストッパー１０，１０によって両端部下面を支持される。
【００２１】
以上説明したように、本発明に係る足場用階段Ｋにおいては、各側枠１の端部キャップ固定位置に切り込み１０ａを入れて、その切込部片１０ｂを側枠１の内側へ引き起こすことによって踏板落下防止用ストッパー１０を形成し、このストストッパー１０で踏板２の端部下面を支持するようにしたから、足場用階段Ｋの使用中に、踏板２を側枠１に固定しているボルト５が緩んで外れるようなことがあっても、その踏板２は、両側枠１，１の踏板落下防止用ストッパー１０，１０によって両側枠１，１に保持され、それによって脱落が防止され、事故を未然に防ぐことが出来る。
【００２２】
また、各踏板落下防止用ストッパー１０は、横長矩形状に形成されているから、各側枠１に一つだけ設けても、踏板２の端部を確実に支持でき、踏板２の脱落を有効に阻止することが出来る。また、この踏板落下防止用ストッパー１０は、各側枠１に切り込み１０ａを入れてその切込部片１０ｂを側枠１の内側へ引き起こすことにより形成されるものであって、加工が簡単で容易に行えるから、足場用階段Ｋの製作コストの低廉化を期することが出来る。
【００２３】
また、この足場用階段Ｋによれば、踏板２が破損するなどして交換が必要な場合には、踏板２を側枠１に固定しているボルト５を取り外すだけで、交換を必要とする踏板２のみを両側枠１，１から取り外して、簡単に新しい踏板２と交換することが出来る。
【００２４】
この実施形態では、各側枠１の端部キャップ固定位置に踏板落下防止用ストッパー１０を一つずつ設けたが、各端部キャップ固定位置に２つ以上のストストッパー１０を設けてもよい。
【図面の簡単な説明】
【００２５】
【図１】本発明に係る足場用階段の使用状態を示す斜視図である。
【図２】同足場用階段の側面図である。
【図３】(a) は図２の矢印Ａで囲まれる部分の拡大図、(b) は図２の矢印Ｂで囲まれる部分の拡大図である。
【図４】図２のＸ−Ｘ線拡大断面図である。
【図５】(a) は足場用階段Ｋの要部断面斜視図、(b) は同図の(a) の矢印Ｚから見た階段Ｋの拡大図である。
【図６】(a) は踏板本体を示す平面図、(b) は側面図である。
【図７】(a) は端部キャップの正面図、(b) は平面図、(c) は端面図、(d) は(a) のＹ−Ｙ線拡大断面図である。
【図８】(a) は踏板の平面図、(b) は側面図である。
【符号の説明】
【００２６】
Ｋ          足場用階段
１          側枠
２          踏板
３          踏板本体
４          端部キャップ
５          ボルト
６          ナット（雌ねじ部）
１０        踏板落下防止用ストッパー
１０ａ      切り込み
１０ｂ      切込部片
【図１】
2005146713.tif 000003
【図２】
2005146713.tif 000004
【図３】
2005146713.tif 000005
【図４】
2005146713.tif 000006
【図５】
2005146713.tif 000007
【図６】
2005146713.tif 000008
【図７】
2005146713.tif 000009
【図８】
2005146713.tif 000010